(57)【要約】本発明は、距離測定装置、特に携帯形のレーザー距離測定装置であって、ケーシング（１０）内に配置された操作ユニット（１２）及び第１の照準ユニット（１４）を備えている形式のものに関する。本発明に基づき、第１の照準ユニット（１４）が少なくとも部分的に、操作ユニット（１２）を保護するための保護ユニット（１６）と一体に形成されている。
2005521045.tif 000002
【特許請求の範囲】
【請求項１】
距離測定装置、特に携帯形のレーザー距離測定装置であって、ケーシング（１０）内に配置された操作ユニット（１２）及び第１の照準ユニット（１４）を備えている形式のものにおいて、第１の照準ユニット（１４）が少なくとも部分的に、操作ユニット（１２）を保護するための保護ユニット（１６）と一体に形成されていることを特徴とする、照準装置を備えた距離測定装置。
【請求項２】
保護ユニット（１６）が少なくとも１つのウエブ（１８）を有しており、ウエブが照準ユニット（１４）の少なくとも一部分を形成しており、かつウエブが、操作ユニット（１２）に対応して配置された天井側（２０）で操作ユニット（１２）の少なくとも１つの操作部材（２２，２４，２６）を超えて突出している請求項１記載の距離測定装置。
【請求項３】
ウエブ（１８）が操作ユニット（１２）の少なくとも２つの操作部材（２２，２４）間に配置されている請求項２記載の距離測定装置。
【請求項４】
ウエブ（１８）が測定方向（２８）に対してほぼ垂直に向けられている請求項２又は４記載の距離測定装置。
【請求項５】
ウエブ（１８）がケーシング（１０）に一体に形成されている請求項２から４のいずれか１項記載の距離測定装置。
【請求項６】
第１の照準ユニット（１４）が、天井側（２０）を超えて延びていてかつウエブ（１８）と協働する隆起部（３０）を有している請求項２から５のいずれか１項記載の距離測定装置。
【請求項７】
隆起部（３０）が、端面に配置された保護キャップによって形成されている請求項６記載の距離測定装置。
【請求項８】
ウエブ（１８）が、照門として役立つ凹設部（３２）を有している請求項２から７のいずれか１項記載の距離測定装置。
【請求項９】
第１の照準ユニット（１４）のほかに第２の少なくとも１つの照準ユニット（３４）が設けられている請求項１から８のいずれか１項記載の距離測定装置。
【発明の詳細な説明】
【技術分野】
【０００１】
本発明は、請求項１の上位概念に記載の、照準装置を備えた距離測定装置に関する。
【０００２】
公知の携帯形のレーザー距離測定装置は、該装置のケーシングの天井側、即ち上面側に操作キー及びディスプレーから成る操作ユニットを有し、かつさらに１つの照準ユニットを備えている。照準ユニットはケーシングの天井側で前側及び後側の領域に設けられた刻み目若しくはノッチによって形成されており、刻み目若しくはノッチは照門を成している。
【０００３】
発明の利点
本発明は、距離測定装置、特に携帯形のレーザー距離測定装置であって、ケーシング内に配置された操作ユニット及び第１の照準ユニットを備えている形式のものから出発している。
【０００４】
本発明に基づき、第１の照準ユニットの少なくとも一部分は、操作ユニットを保護するための保護ユニットと一体に形成されている。これによってわずかな構成部材で操作ユニット、それも操作キー及びディスプレーの有利な保護、並びに有利な照準ユニットを達成することができる。
【０００５】
有利には、保護ユニットは少なくとも１つのリブ若しくはウエブを有しており、ウエブは照準ユニットの少なくとも一部分を形成しており、ウエブの、操作ユニットに対応して配置された天井側若しくは上面側は操作ユニットの少なくとも１つの操作部材を超えて突出している。操作ユニットはウエブで保護され、操作ユニットによる照準ユニットの妨げは避けられる。
【０００６】
本発明の別の実施態様では、ウエブは操作ユニットの少なくとも２つの操作部材間に配置されており、これによってウエブは照準ユニットに関する機能及び保護のほかに、操作員のための案内部材若しくは触知部材として役立ち、操作員は操作キーを見ることなく、即ちブラインドタッチで所定のキーを互いに識別できるようになっている。特に有利には、測定過程を作動させるキーはほかのキーから分離されている。
【０００７】
ウエブを測定方向に対してほぼ垂直方向に向けてある場合には、ウエブは操作ユニットのためのロールオーバーとして機能して、少ない構成部材での操作ユニットの保護を達成するので有利である。
【０００８】
ウエブは、ケーシングに固定された付加的な構成部材によって形成され、若しくは有利にはケーシングに一体的に形成された構成部材によって形成されていてよく、これによって付加的な構成部材、組み立て作業及びコストを削減することができる。
【０００９】
第１の照準ユニットはウエブ内だけに組み込まれていてよいものの、有利には第１の照準ユニットは、ウエブの天井側を超えて延びていてかつ該ウエブと協働する隆起部を有しており、これによって照門を有利に達成することができ、このためにウエブ及び殊に隆起部内に凹設部若しくは突起を設けてある。
【００１０】
隆起部は有利には、端面に配置された保護キャップによって形成されており、従って同一の保護キャップで殊に操作ユニットのディスプレーの効果的な保護を達成することができる。
【００１１】
さらに有利には、第１の照準ユニットのほかに第２の少なくとも１つの照準ユニットを設けてあり、これによって使用の際の柔軟性が高められる。
【００１２】
図面に本発明の実施例を示してある。図示の実施例は複数の構成を組み合わせて形成されたものである。本発明に基づく各構成はそれぞれ単独に用いることも、また互いに組み合わせて用いることも可能である。図面において、
図１は、携帯形のレーザー距離測定装置を上方斜めから見た斜視図であり、
図２は、図１のレーザー距離測定装置を後側から見た図であり、
図３は、図１のレーザー距離測定装置を第１の照準ユニットでの照準合わせ状態での上方斜めから見た別の斜視図であり、
図４は、レーザー距離測定装置を第２の照準ユニットでの照準合わせ状態での上方斜めから見た別の斜視図である。
【００１３】
実施例の説明
図１に示す携帯形のレーザー距離測定装置は、ケーシング１０内に配置された操作ユニット１２を有している。操作ユニット１２はディスプレー２６及び入力ユニットを備えており、入力ユニットは操作キー２２，２４を有しており、この場合に操作キー２２は所定の測定プログラムの選択のために設けられており、かつ操作キー２４は測定過程のレリーズのために設けられている。操作キー２２はケーシング１０の凹設部４４内に沈め込むように配置され、かつ操作キー２４に対して大きさ及び形で異なっていて知覚可能になっている。さらに、レーザー距離測定装置は第１の照準ユニット１４を有しており、照準ユニットは本発明に基づき、操作ユニット１２を保護するための保護ユニット１６と一体に形成されている。
【００１４】
保護ユニット１６は、測定方向２８に対して横方向に延びるアーチ状若しくは弧状のウエブ１８を有しており、ウエブは操作ユニット１２に対応して配置された天井側２０で操作ユニット１２のディスプレー２６及び操作キー２２，２４を超えて突出している。ケーシング１０に一体成形されたウエブ１８は操作キー２２と操作キー２４との間に配置されており、従って操作員は操作キーを見ることなく、操作キー２４を確実に操作でき、操作キー２２を誤って作動させることはなくなる。
【００１５】
第１の照準ユニット１４はさらに、天井側２０を超えて延びていてかつウエブ１８と協働するアーチ状の隆起部３０を有しており、隆起部は前側の端面に取り付けられたゴム製保護キャップから形成されている。
【００１６】
ウエブ１８及び隆起部３０に、レーザー軸線３６に沿って凹設部３２，３８を設けてあり、凹設部は照門を形成している。図３は、レーザー距離測定装置を第１の照準ユニット１４で照準合わせしている状態で示しているのに対して、図４は、レーザー距離測定装置を第２の照準ユニット３４で照準合わせしている状態で示している。
【００１７】
第２の照準ユニット３４は、レーザー軸線３６と並んでケーシング１０の側面４０に設けられて該側面の長さにわたって延びる凹設部４２によって形成されている。
【図面の簡単な説明】
【００１８】
【図１】携帯形のレーザー距離測定装置を上方斜めから見た斜視図
【図２】図１のレーザー距離測定装置を後側から見た図
【図３】図１のレーザー距離測定装置を第１の照準ユニットでの照準合わせ状態での上方斜めから見た別の斜視図
【図４】図１のレーザー距離測定装置を第２の照準ユニットでの照準合わせ状態での上方斜めから見た別の斜視図
【符号の説明】
【００１９】
１０  ケーシング、  １２  操作ユニット、  １４  照準ユニット、  １６  保護ユニット、  １８  ウエブ、  ２０  天井側、  ２２，２４  操作キー、  ２６  ディスプレー、  ２８  測定方向、  ３０  隆起部、  ３２  凹設部、  ３４  照準ユニット、  ３８  凹設部、  ４０  側面、  ４２，４４，４６  凹設部
【図１】
2005521045.tif 000003
【図２】
2005521045.tif 000004
【図３】
2005521045.tif 000005
【図４】
2005521045.tif 000006
【国際調査報告】
2005521045.tif 000007
2005521045.tif 000008
2005521045.tif 000009
2005521045.tif 000010